(57)【要約】      （修正有）【課題】反復足踏みを運動として行う場合、只平坦な床の上で行うよりも、足や腰の筋肉を違う環境に置いて反復足踏みする事でその効果を上げる床置き足踏み式健康器を提供する。【解決手段】床置き足踏み式健康器具であって、強靭な皮膜で造られた袋に可塑性のある物を充填材として詰め、空気を完全に抜き去って密閉され、厚みを有する台形のものであり、皮膜には天然ゴム、人造ゴム、ラバー、シリコン、合成皮革等の器具の使用時に掛る圧力に耐える強靭な材料を用い，充填材には、粘土、油粘土、水粘土、紙粘土、樹脂粘土等の可塑性のある材であり、空気に触れなければ硬化しない材料を使用する。形状が正方形、長方形、五角形、六角形、円形、楕円形のいずれかであり、厚みが均一である。【選択図】図１
0003222992.tif 000002
【実用新案登録請求の範囲】
【請求項１】
室内に於いて、反復足踏みの運動を行う事を目的とする器具である。
使用する事によって、器具を形成する皮膜に相当な圧力が掛ると思われる為に器具に使用される皮膜は、現在考えられる最も強靭な材料を使用するものとする。例［天然ゴム  人造ゴム  ラバー  合成皮革  等］
又、器具の内部に充填される材料は可塑性のある材であり、空気に触れなければ硬化しない材料を使用するものとする。例［粘土  油粘土  水粘土  紙粘土  樹脂粘土  シリコン  等］
【請求項２】
請求項１の皮膜を袋状とし、その中に同じく請求項１の可塑性の有る材料を充填させ、完全に空気を抜いて密封する。
図１の如くの厚みを有する台形のものとする事を特徴とする。
【請求項３】
この考案の形状は、方形［正方形  長方形  五角形  六角形  他］  円形  楕円形  とする。
又、均一な厚さを保持する事を特徴とする。
【請求項４】
この考案の本体には、充填材を充填する為の充填孔を有するものと、完全に密封して充填孔の無いものとの二種類とする事を特徴とする。
【請求項５】
この考案の本体を床に置いた状態で、上面となる面には、  大・小の又，等しい大きさの頭丸の突起物が、等間隔に，あるいはランダムに付けられている事を特徴とする。
【請求項６】
下面となる面には、縦に  又は、縦横に溝を入れて滑り止めとする事を特徴とする。
【請求項７】
本考案の各寸法は、平面的には［１平方メートル］以内とし、厚さは［１センチメートルから２０センチメートル］以内とする。
【考案の詳細な説明】
【技術分野】
【０００１】  この考案は、床に置いた器具の上で足踏みを反復継続する事で健康を保持する事を目的とする。
【背景技術】
【０００２】  ウオーキングが健康を保持する為に行われている事は周知の事であるが、床に置かれた反復足踏用の器具を使って反復足踏を行っても同様な効果が得られると思われる。
足  腰  その他の体の筋肉が、同一地点で足踏みする事により鍛えられるのである。【０００３】  そこで、従来より床置きの運動器具は多々開発されていた。
四角い平板の上に頭を丸くした小さい突起物を並べ、その上で反復足踏み運動する事でいわゆる灸の坪を刺激する事を目的とした器具や、ペダルが足踏みする事により右左に上下して、あたかも歩行しているようにした器具等がある。【０００４】
【考案の概要】
【考案が解決しようとする課題】
【０００５】  前述の平板の突起物の上での反復足踏は、平板と突起物の硬さ故に短時間であれば使用出来ても長時間は耐える事が難しいと思われる。
そこで本考案は、長い時間でも器具の上で反復足踏み運動する事が出来、しかも足裏の坪にもぴったりと密着して刺激を与え続けられる事を可能にする器具を提供する事を目的とする。
【課題を解決するための手段】
【０００６】  目的を達成する為、請求項［１］［２］［３］の方法により器具を作成する事により、使用者は器具の［大きさ］［厚さ］充填材の［硬さ  軟らかさ］を選ぶ事が出来、室内の反復足踏み歩行運動が可能となる。【０００７】  この器具の上での反復足踏み運動は、柔らかい土の上を裸足で歩く感触を得られ、それが故に微妙なバランス感覚が必要になり、路上歩行とは違う運動をした様に感じられる事が特徴である。【０００８】  器具の使用中、足の裏には、請求項［６］の丸頭の突起物が絶えず密着して各所の灸の坪に柔らかく刺激を与え続ける事を特徴とする。【０００９】  請求項［２］の形状は、多種類ある事を特徴とする。
大体の形状は、四角型  丸型  になると思われる。【００１０】  この器具は、強靭な皮膜で造られた袋に可塑性のある物を充填材として詰め、空気を完全に抜き去って密閉する。
この器具は，いうなれば座布団の様な均一な高さの厚みが有り、上側となる皮膜の表面には、先端を丸くした突起物が均一な間隔で配列されている。
下側の皮膜の表面には、滑り止めとして溝が均一に配列されている。【００１１】  使用者は、この器具の上に両足を乗せ、反復足踏みをする事に依り［０００６］［０００７］［０００８］の効果を期待出来るのである。
【図面の簡単な説明】
【００１２】
【図１】本考案の斜視図である。上面  下面  を表している。
【図２】本考案の上面図である。上面  下面  を表している。｛ａ｝は充填材注入孔である。
【図３】本考案の注入孔側の正面図とその背面図である。
【図４】本考案の注入孔側の右側と左側の正面図である。
【図５】本考案の器具の使用状態である。
【考案を実施する為の形態】
【００１３】  使用者は、この器具を使用するにあたって、形状［方形か円形］を決め、厚さを決め、充填材の［硬・軟｝を決める事が求められる。
この為に、器具は多種類に及ぶものとする。
使用者は、購入した器具で反復足踏み運動を開始する訳であるが、体重の重い使用者の場合は、相当な圧力が形成している皮膜に掛る訳であるから、その事の考慮も為されなければならない。
【図１】
0003222992.tif 000003
【図２】
0003222992.tif 000004
【図３】
0003222992.tif 000005
【図４】
0003222992.tif 000006
【図５】
0003222992.tif 000007
【手続補正書】
【提出日】令和1年6月17日(2019.6.17)
【手続補正１】
【補正対象書類名】実用新案登録請求の範囲
【補正対象項目名】全文
【補正方法】変更
【補正の内容】
【実用新案登録請求の範囲】
【請求項１】
室内に於いて、反復足踏みの運動を行う事を目的とする床置き足踏み式健康器具であって、強靭な皮膜で造られた袋に可塑性のある物を充填材として詰め、空気を完全に抜き去って密閉され，厚みを有する台形のものであり、皮膜には天然ゴム，人造ゴム、ラバー、シリコン、合成皮革等の器具の使用時に掛る圧力に耐える強靭な材料を用い，充填材には、粘土、油粘土、水粘土、紙粘土、樹脂粘土等の可塑性のある材であり、空気に触れなければ硬化しない材料を使用する事を特徴とする床置き足踏み式健康器。
【請求項２】
形状が正方形、長方形、五角形、六角形、円形、楕円形のいずれかであり、厚みが均一である事を特徴とする請求項１に記載された床置き足踏み式健康器。
【請求項３】
充填材を充填する為の充填孔を有するか、あるいは、完全に密封して充填孔の無いもののいずれかであることを特徴とする請求項１または２に記載された床置き足踏み式健康器。
【請求項４】
床に置いた状態で、上面となる面には、大・小の又、等しい大きさの頭丸の突起物が、等間隔に、あるいはランダムにつけられている事を特徴とする請求項１から３の何れか一項に記載された床置き足踏み式健康器。
【請求項５】
下面となる面には、縦に  又は、縦横に溝を入れて滑り止めとする事を特徴とする請求項１から４の何れか一項に記載された床置き足踏み健康器。
【請求項６】
平面寸法は１平方メートル以内、厚さは１センチメートルから２０センチメートル以内とする事を特徴とする請求項１から５の何れか一項に記載された床置き足踏み式健康器。
【手続補正２】
【補正対象書類名】明細書
【補正対象項目名】０００８
【補正方法】変更
【補正の内容】
【０００８】器具の使用中、足の裏には、請求項［４］の丸頭の突起物が絶えず密着して各所の灸あるいは、指圧の坪に柔らかく刺激を与え続ける事を特徴とする。